(57)【要約】  【課題】  空気調和機の室外機の上部にソーラパネルを角度調節可能に取り付けたものがあるが、ソーラパネルを室外機に取り付けることができない場合があり、ソーラパネルを室外機とは分離して設置することが要求される。本発明はソーラパネルは角度調節が可能な構成とし、そのソーラパネルを室外機に取り付ける場合と別個の架台に取り付ける場合とに共通の取り付けが可能であって、且つ角度調節機構部が共通化できる構成とする。  【解決手段】  室外機１０１と室外機１０１とは別個の架台５０Ｂには、角度調節機構部Ｐの左右一対の取り付け部材１０９によって室外機１０１と架台５０Ｂに選択設置可能としたこと。【選択図】  図１０
2005249268.tif 000002
【特許請求の範囲】
【請求項１】
分離型空気調和機に利用する電力を発電するソーラパネル（太陽電池パネル）を備え、前記ソーラパネル（太陽電池パネル）には左右一対の支持脚が固定され、前記ソーラパネル（太陽電池パネル）をその取り付け角度を変更可能に前記左右一対の支持脚がそれぞれ左右一対の取り付け部材に対して回動自在に結合され、前記室外機と前記室外機とは別個の架台に対して、前記左右一対の取り付け部材でもって前記室外機と前記架台とに選択設置可能な分離型空気調和機の発電装置。
【請求項２】
前記架台には、前記左右一対の取り付け部材の取り付け角度を変更可能とする角度調節部を設けたことを特徴とする請求項１に記載の分離型空気調和機の発電装置。
【請求項３】
分離型空気調和機に利用する電力を発電するソーラパネル（太陽電池パネル）を備え、前記ソーラパネル（太陽電池パネル）には左右一対の支持脚が固定され、前記ソーラパネル（太陽電池パネル）をその取り付け角度を変更可能に前記左右一対の支持脚がそれぞれ左右一対の取り付け部材に対して回動自在に結合され、前記室外機と前記室外機から分離設置される架台には、前記左右一対の取り付け部材がネジ固定される固定部を設け、前記ソーラパネル（太陽電池パネル）の発電電力のコンバータ回路用電装部品が取り付けられたプリント基板を縦方向に収納する縦長矩形状電装ボックスが前記室外機の背面に沿って横方向に取り出し自在に取り付けられ、前記ソーラパネル（太陽電池パネル）は前記電装ボックスの上方を覆う位置で前記室外機に取り付けられたことを特徴とする分離型空気調和機の発電装置。
【発明の詳細な説明】
【技術分野】
【０００１】
本発明は、分離型空気調和機の発電装置に関し、特にソーラパネル（太陽電池パネル）を分離型空気調和機の室外機と室外機外の架台に設置する技術に関する。
【背景技術】
【０００２】
空気調和機の室外機にはその上方にソーラパネルを設置し、このソーラパネルを角度調節可能に取り付け、このソーラパネルは接続ケーブルを介して室外機内の上部に配置された電気部品や電子基板等の電装部品と電気的に接続される形態のものがある（例えば、特許文献１参照）。
【０００３】
これは、ソーラパネルを空気調和機の室外機に取り付ける場合には効果的であるが、場所によってはソーラパネルを室外機に取り付けることができない場合がある。このような場合には、ソーラパネルを室外機とは分離して設置することが要求される。
【０００４】
また、この特許文献１のものは、電装部品が室外機内に配置されているため、ソーラパネルを備えない機種にソーラパネルを付加する場合、ソーラパネル関係の電装部品を室外機内の電装部に組み込む必要があり、その組み立てが面倒であると共に、ソーラパネル関係の電装部品を組み込むための基板部分や組み込み空間を予め準備しておく必要がある。
【特許文献１】特開２００２−１６８４９８号公報
【発明の開示】
【発明が解決しようとする課題】
【０００５】
本発明は、このような点に鑑みて、ソーラパネルはその受光面の角度調節が可能な構成とし、そのソーラパネルを室外機に取り付ける場合と、ソーラパネルを室外機に取り付けることができない場合にはソーラパネルを室外機とは分離して架台に設置し、室外機に取り付ける場合と架台に取り付ける場合とに共通の取り付けが可能であって、且つ角度調節機構部が共通化できる構成を提供する。
【０００６】
本発明は、また、このような点に鑑みて、ソーラパネル（太陽電池パネル）関係の電装部品を収納した電装ボックスを室外機の外側面に取り付ける形態を採用することとし、ソーラパネルを備えない機種にソーラパネルを付加する場合も、ソーラパネル関係の電装部品の取り付けも容易であり、しかも、ソーラパネル関係の電装部品の修理点検もし易くなる技術を提供する。
【課題を解決するための手段】
【０００７】
第１の発明は、分離型空気調和機に利用する電力を発電するソーラパネル（太陽電池パネル）を備え、前記ソーラパネル（太陽電池パネル）には左右一対の支持脚が固定され、前記ソーラパネル（太陽電池パネル）をその取り付け角度を変更可能に前記左右一対の支持脚がそれぞれ左右一対の取り付け部材に対して回動自在に結合され、前記室外機と前記室外機とは別個の架台に対して、前記左右一対の取り付け部材でもって前記室外機と前記架台とに選択設置可能な分離型空気調和機の発電装置である。
【０００８】
第２の発明は、前記架台には、前記左右一対の取り付け部材の取り付け角度を変更可能とする角度調節部を設けたことを特徴とする。
【０００９】
第３の発明は、分離型空気調和機に利用する電力を発電するソーラパネル（太陽電池パネル）を備え、前記ソーラパネル（太陽電池パネル）には左右一対の支持脚が固定され、前記ソーラパネル（太陽電池パネル）をその取り付け角度を変更可能に前記左右一対の支持脚がそれぞれ左右一対の取り付け部材に対して回動自在に結合され、前記室外機と前記室外機から分離設置される架台には、前記左右一対の取り付け部材がネジ固定される固定部を設け、前記ソーラパネル（太陽電池パネル）の発電電力のコンバータ回路用電装部品が取り付けられたプリント基板を縦方向に収納する縦長矩形状電装ボックスが前記室外機の背面に沿って横方向に取り出し自在に取り付けられ、前記ソーラパネル（太陽電池パネル）は前記電装ボックスの上方を覆う位置で前記室外機に取り付けられたことを特徴とする。
【発明の効果】
【００１０】
第１の発明では、室外機を取り付ける場所がソーラパネル（太陽電池パネル）から見れば日照の好ましくない場所であるときは、ソーラパネル（太陽電池パネル）を架台に取り付けて日照状態の好ましいい場所に設置することができ、効率のよい発電を得ることができる。そして、室外機に取り付ける場合も架台に取り付けた場合も、いずれも左右一対の取り付け部材によって取り付けができるため、角度調節機構部が両方に共通化できることとなり、ソーラパネル（太陽電池パネル）を室外機に取り付ける場合と架台に取り付けた場合との選択がしやすくなる。
【００１１】
第２の発明は、第１発明の効果のほかに、左右一対の取り付け部材に対して回動させる角度調節機構部に加えて、架台にも左右一対の取り付け部材の取り付け角度を変更可能とする角度調節部を設けたため、この両方の角度調節によって、ソーラパネル（太陽電池パネル）の効果的な発電状態を得ることができる。更に、架台の角度調節部がソーラパネル（太陽電池パネル）が前傾姿勢に加えて左右方向へも傾斜する変更も可能とすることによって、更にソーラパネル（太陽電池パネル）を効果的な状態にセットできることとなる。
【００１２】
第３の発明では、第１発明の効果のほかに、ソーラパネル（太陽電池パネル）用の電装ボックスを室外機の背面に取り外し可能に設けるため、ソーラパネル（太陽電池パネル）を設けない機種にソーラパネル（太陽電池パネル）を付加することが容易となり、室外機が建物の壁に近接設置された状況でも、ソーラパネル（太陽電池パネル）用の電装ボックスの取り付けや、点検修理等のサービスもしやすくなる。そして、電装ボックスの上方がソーラパネル（太陽電池パネル）で覆われることによって、ソーラパネル（太陽電池パネル）が屋根となって電装ボックスへの降水を抑制できる効果がある。
【発明を実施するための最良の形態】
【００１３】
本発明の分離型空気調和機の発電装置は、分離型空気調和機に利用する電力を発電するソーラパネル（太陽電池パネル）を分離型空気調和機の室外機と室外機から分離設置される架台とに選択的に取り付け可能とし、ソーラパネル（太陽電池パネル）に固定した左右一対の支持脚が、前記室外機又は架台に取り付けられる左右一対の取り付け部材対してその取り付け角度を変更可能に回動自在に結合され、前記室外機と前記架台には前記左右一対の取り付け部材が着脱自在にネジ止めされるものであり、以下に本発明の実施形態を記載する。
【実施例１】
【００１４】
次に、本発明の実施の形態について説明する。図１はソーラパネルを本発明に係る分離型空気調和機の室外機の上方に設置した状態の構成図、図２はソーラパネルを本発明に係る分離型空気調和機の室外機の上方に設置した状態の背面斜視図、図３は本発明に係るソーラパネルの角度調節機構部Ｐの構成図、図４は本発明電装ボックスの内部を示す分解斜視図、図５は本発明電装ボックスの内部を示す断面図、図６は本発明電装ボックスを空気調和機の室外機背面に取り付ける状態の分解斜視図、図７は本発明電装ボックス内の電装部品への接続電線の引き出し部の説明図、図８は本発明電装ボックスの蓋体を外した状態の配線状態を示す分解斜視図、図９はソーラパネルを室外機上方と更に第１の架台に取り付けた状態図、図１０はソーラパネルを第２の架台に取り付けた状態図、図１１はソーラパネルを第３の架台に取り付けた状態図、図１２は第１の架台の構成斜視図、図１３は第２の架台の構成斜視図、図１４は第３の架台の構成斜視図である。以下、実施例１について説明する。
【００１５】
図１〜図３において、実施例１に係る空気調和機１００は、室外機１０１と室内機１０２が分離設置される分離型空気調和機であり、室外機１０１と室内機１０２は冷媒管と電気配線を束ねた配管部１０３によって接続されている。以下、実施例１に係る分離型空気調和機１００は、ソーラパネル（太陽電池パネル）１０４を室外機１０１の上方に設置した形態について説明する。ソーラパネル１０４は、その裏側の左右部分に円弧状の支持脚１０５が取り付けられている。室外機１０１の左右両側の上部には、ボルト螺子等のネジ部材６４によって室外機１０１の上方へ突出するように板状の取り付け部材１０６が取り付けられており、この左右の取り付け部材１０６に支持脚１０５が取り付けられることによって、ソーラパネル１０４が室外機１０１の上方に設置される。
【００１６】
ソーラパネル１０４の上面の受光面が太陽光を効率よく受けるように、ソーラパネル１０４の設置角度を調節とする角度調節機構部Ｐを備えている。具体的には、角度調節機構部Ｐは、取り付け部材１０６に対して支持脚１０５の前部が回動自在に軸支持部１０７され、支持脚１０５の後部には軸支持部１０７を中心とした円弧状長孔１０８が形成され、取り付け部材１０６にはこの円弧状長孔１０８を貫通する軸１０９が取り付けられた構成である。このため、軸支持部１０７を中心にソーラパネル１０４を好ましい角度に回動させた状態で、この軸１０９のネジ部に螺合するナット１１０を締め付けることによって、その位置にソーラパネル１０４を傾斜固定できる構成である。
【００１７】
ソーラパネル１０４の角度は、水平に対して１５°〜４０°の範囲で変更可能であり、支持脚１０５に対する軸１０９の位置を角度表示するために、角度表示部１１５が円弧状長孔１０８に沿って三角形状の印とそれに付加した角度数字によって表示されている。
【００１８】
室内機１０２は、冷房運転時には冷媒を蒸発させ冷却機能を発揮する熱交換器と、その送風ファンが収納され、室外機１０１には、冷媒圧縮機と冷房運転時には冷媒を凝縮させる機能を発揮する熱交換器とそれに係る放熱用ファンが収納されている。室内機１０２には、それの制御に関連する電装部品を取り付けたプリント基板が収納状態に取り付けられており、室外機１０１には、それの制御に関連する電装部品を取り付けたプリント基板が収納状態に取り付けられているが、本発明が対象とする空気調和機用電装装置１の電装ボックス４は、室外機１０１の外面に沿って縦方向に取り付けられる形態であり、以下の実施例は、ソーラパネル１０４に係る電気回路を構成する電装部品を収納するものである。なお、本発明においては理解を容易にするために、後述する室外機１０１の裏側パネル１１２が設けられた側を室外機１０１の後側、その反対側で前記放熱用ファンの吹き出し口が設けられた側を室外機１０１の前側と呼び、電装ボックス４と後述の取り付け板３３についても室外機１０１の前側から見て、前側に位置する側を前側、後側に位置する側を後側、右側に位置する側を右側、左側に位置する側を左側と呼んで説明するものとする。
【００１９】
ソーラパネル１０４が発電する電力は、空気調和機１００の室外機１０１と室内機１０２の機器が動作するための全ての電力を発電するような大容量発電能力があればよいが、このような大容量発電のためには大きな面積のソーラパネル１０４が必要なり、極めて高価な装置となるため、通常は空気調和機１００の室外機１０１と室内機１０２の機器の一部が動作するための小電力発電能力のソーラパネル１０４が用いられる。この小電力発電のソーラパネル１０４の場合は、空気調和機１００に供給される商用電源とソーラパネル１０４の発電電力とが併用され、この場合の一つの制御方式として、ソーラパネル１０４の発電電力が優先的に使用される制御回路構成であって、ソーラパネル１０４の発電電力では不足する電力を商用電源から供給するように制御する方式を採用している。
【００２０】
図４〜図８において、本発明に係る空気調和機用電装装置１は、空気調和機用電装部品３が取り付けられたプリント基板２を収納する縦長矩形状電装ボックス４の左右の縦壁５には複数の放熱用開口６が形成され、左右の縦壁５の内面との間に電装部品３の放熱空気の流通間隔７を存して複数の放熱用開口６を覆う状態に左右の防水壁８が配置され、プリント基板２はその左右両端部が左右の防水壁８に設けたレール部材９にスライド自在に縦方向に支持された構成である。
【００２１】
これを詳しく説明すると、電装ボックス４は、前後方向の奥行きに比して左右方向の横幅が大きい縦長矩形状の筐体をなし、前壁１１と上壁１２と左右壁５を備えた鋼板等の金属製本体４Ａの後面と下面が開放していて、この後面と下面が取り外し自在な鋼板等の金属製のＬ字状の蓋体１０にて塞がれた形態である。本体４Ａの上壁１２の後端には下方へ垂下したフランジ１３が形成され、本体４Ａの左右壁５の後端には内向きフランジ１４が形成されている。蓋体１０は、その縦壁１０Ａの上端縁をフランジ１３の内側に潜り込ませた状態で、縦壁１０Ａをフランジ１４にネジ１５で固定することによって、蓋体１０の横壁１０Ｂが本体４Ａの下面を塞ぐ状態で本体４Ａに取り付けられる。蓋体１０の本体４Ａへの取り付けによって、電装ボックス４は、前後、上下、左右が塞がれた中空の筐体構造となる。
【００２２】
本体４Ａの左右の縦壁５には、電装ボックス４内に収納されるプリント基板２上の電装部品３の複数の放熱用開口６が形成されている。図示の放熱用開口６は多数の円形孔で形成しているが、これに限らず横方向に伸びたスリットが複数段に形成されたものや、上端に斜め下外方へ延びた庇を持つスリットを形成した構成でもよい。
【００２３】
左右の縦壁５の内面と略均一した放熱空間７が形成されるように、左右の縦壁５の内面に略平行に左右の防水壁８が配置されている。具体的には、左右の縦壁５の内面との間に電装部品３の放熱空気の流通間隔７（放熱空間７）を存して複数の放熱用開口６を覆う状態に左右の防水壁８が配置されている。この防水壁８は、その前端フランジ部８Ｂを本体４Ａの前壁１１に溶接にて固定しており、上下端縁部と後端縁部には斜め外方に延びたフランジ８Ａを一体形成している。
【００２４】
これによって、放熱用開口６から勢いよく侵入した雨水が防水壁８に衝突して飛散水となっても、この飛散水はフランジ８Ａに衝突するため、この飛散水が放熱空気の流通間隔７（放熱空間７）から飛び出してプリント基板２上の電装部品３やその配線部に掛かることが防止できる。
【００２５】
また、防水壁８のフランジ８Ａは、本体４Ａの壁との間に隙間７Ａがある。即ち、左右の縦壁５との間には、電装部品３の放熱空気が流通間隔７（放熱空間７）へ流れるように空気の流通間隔７Ａを形成した状態である。これによって、放熱用開口６から進入する外気は流通間隔７（放熱空間７）から流通間隔７Ａを通って電装ボックス４内に入り、電装部品３を冷却し、それによって発生する放熱空気は流通間隔７Ａから流通間隔７（放熱空間７）を通って放熱用開口６から外部へ排出される。このような空気流通によって、電装部品３の放熱は良好に行われる。
【００２６】
電装ボックス４内に収納されるプリント基板２は、空気調和機１００の運転制御に係る電装部品を取り付けたものでもよいが、この実施例では、ソーラパネル１０４の発電電力を昇圧するＤＣ−ＤＣコンバータやパワーコントローラ等の電気回路や、それに係る電装部品３が取り付けられている。そして、プリント基板２には、室内機１０２に収納したプリント基板上の電気回路と電気接続される電線１６の接続端子部１７Ａ、室外機１０１に収納したプリント基板上の電気回路と電気接続される電線（リード線）１６の接続端子部１７Ｂ、及びソーラパネル１０４の端子に接続される電線１６の接続端子部１７Ｃが設けられている。接続端子部１７Ｃが２個設けられているのは、後述のようにソーラパネル１０４を２セット設置した場合に各ソーラパネル１０４の電線１６の接続用である。
【００２７】
電装ボックス４内に収納されるプリント基板２は、その左右両端部が左右の防水壁８に取り付けた合成樹脂製のレール部材９にスライド自在に縦方向に支持された構成である。レール部材９はナイロン等の合成樹脂成形体であり、プリント基板２を支持する側は、プリント基板２の端部がレール部材９の長さ方向に挿入される溝２２を形成している。この溝２２の内側の弾性部によってプリント基板２の端部が弾性的に保持される。
【００２８】
電装ボックス４内には、プリント基板２上の電装部３やその配線部と電装ボックス４との間の電気絶縁を確保するために、絶縁シート２６が、プリント基板２の左右両側と上部と、電装ボックス４との間に設けられている。具体的には、以下に説明するように、プリント基板２の左右端部側は、レール部材９の防水壁８への取り付けによってレール部材９と防水壁８の間に絶縁シート２６を挟持している。これによって防水壁８の内側面に沿うように絶縁シート２６が配設され、プリント基板２上の電装部３やその配線部と電装ボックス４の一部である防水壁８との間の電気絶縁が確保される。そして、プリント基板２の上端部側では、保持部材２８によって絶縁シート２６が取り付けられている。
【００２９】
またプリント基板２の上端部側は、電装ボックス４内上部に溶接にて取り付けた取り付け辺２７が設けられ、レール部材９と同様の構成をなす保持部材２８によって、保持部材２８と取り付け辺２７の間に絶縁シート２６を挟持している。保持部材２８は、左右方向に延びた下向き溝を形成しており、レール部材９と同様にこの溝によってプリント基板２の上端部を弾性的に保持するものである。
【００３０】
プリント基板２の接続端子部１７Ａ、１７Ｂ、１７Ｃへの電線１６の接続は、蓋体１０を本体４Ａに取り付ける前に、電線１６を蓋体１０の引き出し部１８の筒状ゴム材２０内に通した状態とし、レール部材９の所定位置に保持されたプリント基板２の接続端子部１７Ａ、１７Ｂ、１７Ｃに電線１６を接続する。なお、他の順序でもってプリント基板２の接続端子部１７Ａ、１７Ｂ、１７Ｃに電線１６を接続する方法でもよい。
【００３１】
電線１６の引き出し部１８が電装ボックス４の下面、即ち、蓋体１０の横壁（下壁）１０Ｂの側部寄りに設けられ、この引き出し部１８には、蓋体１０の横壁１０Ｂの貫通孔１９に嵌め込み取り付けた筒状ゴム材２０が設けられている。電線１６はこの筒状ゴム材２０内を通して配線され、筒状ゴム材２０を外側から結束バンド２１で縛ることによって、筒状ゴム材２０が電線１６相互の隙間に喰い込む状態で電線１６に密着し、引き出し部１８からの水の浸入が阻止でき、また、電線１６が引っ張られたときには筒状ゴム材２０によってその引張りに抗するため、接続端子部１７Ａ、１７Ｂ、１７Ｃにおける電線１６の外れを防止することができるものとなる。
【００３２】
各電気部品を取り付けたプリント基板２は、上記のように左右端縁がレール部材９によって支持され、上端縁が保持部材２８によって保持された状態で各電線１６が引き出し部１８から引き出された状態である。この状態で蓋体１０を本体４Ａのネジ１５留めし、各電線１６の引き出し部１８からの引き出し長さを調節した状態で、筒状ゴム材２０を外側から結束バンド２１で縛ることによって、各電線１６が保持される。後述のように電線１６の保持バンド４６、４７はこの状態でネジ４５にて取り付けてもよい。
【００３３】
室外機１０１への電装ボックス４の取り付けは、図６に示すように、室外機１０１の外面に取り付けた取り付け板３３に着脱自在に取り付けた構成である。即ち、金属製の取り付け板３３は、固定辺３５と固定辺３５に略直角に繋がる支持辺３６を備え、室外機１０１の一側面（図では室外機１０１の右側面）にネジ３４によって固定辺３５を取り付けている。また、支持辺３６は、室外機１０１に面した上部と下部に下向きの鉤状係止部が形成されており、この上部の係止部が、室外機１０１の裏側パネル１１２に形成した複数の通風孔１１３Ａ間の横桟１１４Ａに引っ掛けられ、下部の係止部が、裏側パネル１１２に形成した複数の通風孔１１３Ｂ間の横桟１１４Ｂに引っ掛けられて裏側パネル１１２に保持される。これによって取り付け板３３は室外機１０１の一側コーナに取り付けられている。通風孔１１３Ａ、１１３Ｂは、室外機１０１内に収納した前記冷媒圧縮機と熱交換器の放熱用空気の取り入れ口である。
【００３４】
取り付け板３３の支持辺３６には、上端部に上壁３７を形成し、上壁３７の後端部は支持辺３６と略平行に下方へ屈曲したフランジ３８を形成し、下部には上壁３７と略平行に下壁３９を形成している。支持辺３６と下壁３９との接続部には下方へ窪んだ溝４０が形成されている。上壁３７と下壁３９との間隔は、電装ボックス４の縦寸法よりも若干大きく、支持辺３６とフランジ３８との間隔は電装ボックス４の前後方向の厚さよりも若干大きい寸法である。
【００３５】
電装ボックス４は、その前壁１１下端部に下方へ突出した突起部４１を形成している。
この構成において、電装ボックス４は室外機１０１の側方（図では室外機１０１の右側）から上壁３７と下壁３９との間に挿入することができ、突起部４１が溝４０内をスライドして電装ボックス４の上部は、上壁３７の下面に沿って支持辺３６とフランジ３８との間隔に挿入される。取り付け板３３の電装ボックス４の挿入入口側の下端部には、固定辺４３が形成され、電装ボックス４の挿入後端側の下端部には固定辺４４が形成されている。
【００３６】
このため、この電装ボックス４の挿入によって、固定辺４４が取り付け板３３の固定辺４３に当接した位置が所定位置であり、この位置で上壁３７を貫通するネジ４２によって電装ボックス４を上壁３７に固定し、固定辺４３と固定辺４４を貫通するネジ４５によって固定辺４４を固定辺４３に固定する。このような固定によって電装ボックス４が取り付け板３３に固定される。取り付け板３３からの電装ボックス４の取り外しは、ネジ４２とネジ４５を外すことにより達成できる。
【００３７】
なお、電装ボックス４とソーラパネル１０４とを接続する電線１６の保持バンド４６をネジ４５によって固定辺４４に同時固定することができる。発電電力を増加するために、更にもう１枚のソーラパネル１０４を図９に示すように室外機１０１の傍などに設置して２セットとすることができ、これに対応するために、プリント基板２にはこれに係る電気回路と電線の接続端子１７Ｃを備えている。そして、その電線の保護のための電線保持バンド４７もネジ４５によって固定辺４４に同時固定することができるようになっている。
【００３８】
ソーラパネル１０４を室外機１０１の上方に設置した場合、ソーラパネル（太陽電池パネル）１０４は電装ボックス４の上方を覆う位置で室外機１０４に取り付けられた状態であり、ソーラパネル（太陽電池パネル）１０４が屋根となって電装ボックス４への降水を抑制できる効果がある。
【００３９】
ソーラパネル１０４を室外機１０１の上方に設置した場合、室外機１０１の設置場所が日当たりのよくない場所であれば、ソーラパネル１０４による発電能力が低下し、所望の発電電力が得られない。このような場合には、ソーラパネル１０４を室外機１０１から分離設置される架台に設置することが要求される。この要求のために、本発明では３種類の架台５０Ａ、５０Ｂ、５０Ｃを備える。ソーラパネル１０４を室外機１０１から取り外す場合は、ネジ部材６４を外すことにより支持脚１０５と取り付け部材１０６がソーラパネル１０４と共に室外機１０１から取り外され、これを後述のように、ネジ部材６４でもって取り付け部材１０６を架台５０Ａ、５０Ｂ、５０Ｃのいずれかに取り付けることができる。
【００４０】
架台５０Ａは、図１２に示すように比較的背の低い金属製の架台であり、以下の構成をなす。即ち、前後一対の脚５１Ａ、５１Ｂを備えた門形の支持脚部材５３と、前後一対の脚５２Ａ、５２Ｂを備えた門形の支持脚部材５４と、これら支持脚部材５３、５４の前後に前桟５６と後桟５７がボルトネジ５５でもって結合された構成である。脚５１Ａ、５１Ｂと脚５２Ａ、５２Ｂは、横断平面形状がＬ字状をなすような略直角に交わる二辺を備えた形状であり、その二辺には縦方向に長い長孔５８が複数段に形成されている。この長孔５８にボルトネジ５５が挿通され締め付けられる。この場合ナットを用いてもよい。また前桟５６と後桟５７に渡って支持台６０Ａ、６０Ｂが固定されている。前桟５６と後桟５７には左右に伸びた長孔５９が形成され、支持台５７Ａ，５７Ｂを前桟５６と後桟５７の所定位置にセットし、この長孔５９の所定の位置で各ワッシャ６３を介して各ボルトネジ６１と各ナット６２によって締め付けることによって、その位置で支持台６０Ａ、６０Ｂが前桟５６と後桟５７に固定される構成である。
【００４１】
支持台６０Ａ、６０Ｂの側面には、取り付け部材１０６が各ネジ部材６４によって固定される。取り付け部材１０６に対しては、上記のように支持脚１０５（図３参照）の前部が回動自在に軸支持部１０７にて軸支持され、支持脚１０５の後部には軸支持部１０７を中心とした円弧状長孔１０８が形成され、取り付け部材１０６にはこの円弧状長孔１０８を貫通する軸１０９が取り付けられており、軸支持部１０７を中心にソーラパネル１０４を好ましい角度に回動可能に支持した構成である。図９にはソーラパネル１０４を室外機１０１上方と更に架台５０Ａに取り付けた状態を示す。
【００４２】
架台５０Ａは、架台５０Ａそのものによってもソーラパネル１０４の設置角度を変更可能とする角度調節部を備えている。即ち、長孔５８のいずれかに対するボルトネジ５５の固定位置によって、支持脚部材５３、５４に対する前桟５６と後桟５７の取り付け位置を変更できる構成である。例えば、ボルトネジ５５を下方の長孔５８に挿通した位置で固定することによって、支持脚部材５３、５４に対する前桟５６と後桟５７の取り付け高さを下方に変更できる。したがって、支持脚部材５３、５４に対して後桟５７を高く、そして前桟５６を低く固定することによって、支持台６０Ａ、６０Ｂが前傾姿勢に固定されるため、これに取り付けられる左右一対の取り付け部材１０６が前傾姿勢となり、前下がりに傾斜設置される角度調節部を構成することとなる。このため、架台５０Ａそのものによってもソーラパネル１０４の設置角度が変更可能となる。
【００４３】
このため、ソーラパネル１０４は角度調節機構部Ｐによりセットされる角度に加えて、この支持台６０Ａ、６０Ｂの前傾姿勢による左右一対の取り付け部材１０６の前傾姿勢に相当する傾斜分だけ、更に前下がりに傾斜設置されることとなる。この場合、傾斜設置に適合する支持台６０Ａ、６０Ｂを採用することにより安定した取り付けができることとなる。若し水平設置の支持台６０Ａ、６０Ｂをそのまま使用する場合は、前桟５６と後桟５７と支持台６０Ａ、６０Ｂとの間に生じる隙間にはスペーサを介在させ、円周で厚さの異なるワッシャ６３を用いてボルトネジ６１を締め付ける。
【００４４】
架台５０Ａによると、支持脚部材５３、５４に対する前桟５６と後桟５７の左右の取り付け位置を異なる位置で固定することにより、ソーラパネル１０４を前下がりでありながら、且つ右又は左へ傾いた状態に設置できることとなり、ソーラパネル１０４を前後方向のみならず左右方向でも傾斜した状態に設置することができる。このような場合、傾斜設置に適合する支持台６０Ａ、６０Ｂを採用することにより安定した取り付けができる。
【００４５】
このように架台５０Ａは、それ自身の角度調節部によってもソーラパネル１０４を前下がりに設置でき、その角度も変更可能であるため、角度調節機構部Ｐによりセットされた角度に加えた角度の変更が可能である。そして、架台５０Ａ自身による角度設定と角度調節機構部Ｐによる角度設定とを併用して、ソーラパネル１０４を好ましい角度にセットできる。更に架台５０Ａによりソーラパネル１０４を前下がりでありながら、右又は左へ傾いた状態に設置できることとなり、ソーラパネル１０４を前後方向のみならず左右方向でも傾斜した状態に設置することができるため、更にソーラパネル１０４を好ましい角度にセットできることとなる。
【実施例２】
【００４６】
金属製の架台５０Ｂは図１３に示す構成であり、架台５０Ａに比して背が高く、架台５０Ａと同様の機能部分は架台５０Ａと同一符号を比して同じ名称を付している。架台５０Ａと架台５０Ｂは、それぞれ架台５０Ａと架台５０Ｂが設置される場所がコンクリートなどであれば、そこへボルト６６にて固定するための固定部６５を各脚５１Ａ、５１Ｂと脚５２Ａ、５２Ｂの下端に備えている。架台５０Ｂは、背が高いので支持脚部材５３、５４が補強枠９０で固定されている。また架台５０Ｂは、転倒防止のために架台５０Ｂを建物Ｋ等に留める固定具６７を設けている。図１０には室外機１０１を取り囲むように設置した架台５０Ｂにソーラパネル１０４を取り付けた状態を示す。
【００４７】
このような構成によって、架台５０Ｂも架台５０Ａと同様にそのものによってもソーラパネル１０４の設置角度を変更可能とする角度調節部を備えている。即ち、長孔５８のいずれかに対するボルトネジ５５の固定位置によって、支持脚部材５３、５４に対する前桟５６と後桟５７の取り付け位置を変更できる。例えば、ボルトネジ５５を下方の長孔５８に挿通した位置で固定することによって、支持脚部材５３、５４に対する前桟５６と後桟５７の取り付け高さを下方に変更できる。したがって、支持脚部材５３、５４に対して後桟５７を高く、そして前桟５６を低く固定することによって、支持台６０Ａ、６０Ｂが前傾姿勢に固定されるため、この支持台６０Ａ，６０Ｂ上に取り付けた左右一対の取り付け部材１０６も同様に前傾姿勢となり、前下がりに傾斜設置される角度調節部を構成することとなる。
【００４８】
このように架台５０Ｂそのものによってもソーラパネル１０４の設置角度を変更可能となり、ソーラパネル１０４は、角度調節機構部Ｐによりセットされた角度に加えて、この支持台６０Ａ、６０Ｂの前傾姿勢による左右一対の取り付け部材１０６の前傾姿勢に相当する傾斜分だけ、更に前下がりに傾斜設置されることとなる。この場合、傾斜設置に適合する支持台６０Ａ、６０Ｂを採用することにより安定した取り付けができる。若し水平設置の支持台６０Ａ、６０Ｂをそのまま使用する場合は、前桟５６と後桟５７と支持台６０Ａ、６０Ｂとの間に生じる隙間にはスペーサを介在させ、円周で厚さの異なるワッシャ６３を用いてボルトネジ６１を締め付ける。
【００４９】
架台５０Ｂによると、支持脚部材５３、５４に対する前桟５６と後桟５７の左右の取り付け位置を異なる位置で固定することにより、ソーラパネル１０４を前下がりでありながら、且つ右又は左へ傾いた状態に設置できることとなり、ソーラパネル１０４を前後方向のみならず左右方向でも傾斜した状態に設置することができる。このような場合、傾斜設置に適合する支持台６０Ａ、６０Ｂを採用することにより安定した取り付けができる。
【００５０】
このように架台５０Ｂは、それ自身の角度調節部によってもソーラパネル１０４を前下がりに設置でき、その角度も変更可能であるため、角度調節機構部Ｐによりセットされた角度に加えた角度の変更が可能である。そして、架台５０Ｂ自身によって角度設定と角度調節機構部Ｐによる角度設定とを併用して、ソーラパネル１０４を好ましい角度にセットできる。更に架台５０Ｂによりソーラパネル１０４を前下がりでありながら、右又は左へ傾いた状態に設置できることとなり、ソーラパネル１０４を前後方向のみならず左右方向でも傾斜した状態に設置することができるため、更にソーラパネル１０４を好ましい角度にセットできることとなる。
【００５１】
なお、架台５０Ｂは、一般家庭の２階のベランダの壁の上方にソーラパネル１０４を傾斜設置することができるように、その高さを設定することによって、２階ベランダにソーラパネル１０４を設置して、ソーラパネル１０４と電装ボックス４とを電線１６で結ぶことにより、発電電力を有効に利用できる。
【実施例３】
【００５２】
架台５０Ｃは金属製であり図１４に示す構成であり、建物Ｋ等に留める縦方向の左右の固定部材７０Ａ、７０Ｂと、それぞれ固定部材７０Ａ、７０Ｂの取り付け孔７１Ａ、７１Ｂにネジ７２にて後端部を固定した上面が前下がりの傾斜をなす左右の支持部材７３Ａ、７３Ｂと、支持部材７３Ａ、７３Ｂの上面にネジ７４にて取り付けられた前桟７５と後桟７６とを備えている。前桟７５と後桟７６に渡って支持台７８Ａ、７８Ｂが固定されている。前桟７５と後桟７６には左右に伸びた長孔７７が形成され、支持台７８Ａ、７８Ｂを前桟７５と後桟７６の所定位置にセットし、この長孔７７の所定の位置で各ワッシャ７９を介して各ボルトネジ８０と各ナット８１とによる締め付けによって、その位置で支持台７８Ａ、７８Ｂが前桟７５と後桟７６に固定される構成である。
【００５３】
支持台７８Ａ、７８Ｂの側面には、取り付け部材１０６が各ネジ部材６４によって固定される。取り付け部材１０６に対しては、上記のように支持脚１０５（図３参照）の前部が回動自在に軸支持部１０７にて軸支持され、支持脚１０５の後部には軸支持部１０７を中心とした円弧状長孔１０８が形成され、取り付け部材１０６にはこの円弧状長孔１０８を貫通する軸１０９が取り付けられており、軸支持部１０７を中心にソーラパネル１０４を好ましい角度に回動可能に支持した構成である。
【００５４】
架台５０Ｃもそのものによってソーラパネル１０４の設置角度を変更可能とする角度調節部を備える。即ち、左右の支持部材７３Ａ、７３Ｂの上面は前下がりの傾斜をなしており、この上面に前桟７５と後桟７６が取り付けられているため、前桟７５が後桟７６よりも低い位置をとり、これによって、支持台７８Ａ、７８Ｂが前下がりに傾斜し、この支持台７８Ａ、７８Ｂに取り付けた取り付け部材１０６が前下がりに傾斜する構成によって、角度調節部を構成する。このため、ソーラパネル１０４は、角度調節機構部Ｐによりセットされる角度に加えて、この支持部材７３Ａ、７３Ｂの上面の前下がりの傾斜に相当する傾斜分だけ更に前下がりに傾斜設置されることとなる。
【００５５】
架台５０Ｃそのものによる傾斜設置角度の変更をする場合は、各種の前下がりの傾斜角度をもつ左右の支持部材７３Ａ、７３Ｂを使用することにより達成できる。また、左右の支持部材７３Ａ、７３Ｂが異なる前下がりの傾斜角度を持つ場合には、ソーラパネル１０４を前下がりでありながら、且つ右又は左へ傾いた状態に設置できることとなり、ソーラパネル１０４を前後方向のみならず左右方向でも傾斜した状態に設置することができる。図１１には室外機１０１とは別個に、左右の固定部材７０Ａ、７０Ｂを取り付け孔８２を通してボルトにて建物Ｋに取り付けた架台５０Ｃにソーラパネル１０４を取り付けた状態を示す。
【００５６】
このように架台５０Ｃは、それ自身によってもソーラパネル１０４を前下がりに設置でき、その角度も変更可能であるため、角度調節機構部Ｐによりセットされた角度に加えた角度の変更が可能である。そして、架台５０Ｃ自身によって角度設定と角度調節機構部Ｐによる角度設定とを併用して、ソーラパネル１０４を好ましい角度にセットできる。更に架台５０Ｃによりソーラパネル１０４を前下がりでありながら、右又は左へ傾いた状態に設置できることとなり、ソーラパネル１０４を前後方向のみならず左右方向でも傾斜した状態に設置することができるため、更にソーラパネル１０４を好ましい角度にセットできることとなる。
【産業上の利用可能性】
【００５７】
本発明は、ソーラパネルの角度調節機構部Ｐの左右一対の取り付け部材でもって室外機と架台とに選択設置とするものであり、架台それ自身によってもソーラパネルを所定角度に設置でき、その角度も変更可能であるため、角度調節機構部Ｐによりセットされた角度に加えた角度の変更が可能である。このため、上記形態に限定されず、本発明の技術的範囲を逸脱しない限り種々の空気調和機の形態に適用できるものである。
【図面の簡単な説明】
【００５８】
【図１】ソーラパネルを本発明に係る分離型空気調和機の室外機の上方に設置した状態の構成図である。（実施例１）
【図２】ソーラパネルを本発明に係る分離型空気調和機の室外機の上方に設置した状態の背面斜視図である。（実施例１）
【図３】本発明に係るソーラパネルの角度調節機構部Ｐの構成図である。（実施例１）
【図４】本発明電装ボックスの内部を示す分解斜視図である。（実施例１）
【図５】本発明電装ボックスの内部を示す断面図である。（実施例１）
【図６】本発明電装ボックスを空気調和機の室外機背面に取り付ける状態の分解斜視図である。（実施例１）
【図７】本発明に係る電装ボックス内の電装部品への接続電線の引き出し部の説明図である。（実施例１）
【図８】本発明に係る電装ボックスの蓋体を外した状態の配線状態を示す分解斜視図である。（実施例１）
【図９】ソーラパネルを室外機上方と更に第１の架台に取り付けた状態図である。（実施例１）
【図１０】ソーラパネルを第２の架台に取り付けた状態図である。（実施例２）
【図１１】ソーラパネルを第３の架台に取り付けた状態図である。（実施例３）
【図１２】第１の架台の構成斜視図である。（実施例１）
【図１３】第２の架台の構成斜視図である。（実施例２）
【図１４】第３の架台の構成斜視図である。（実施例３）
【符号の説明】
【００５９】
１・・・空気調和機用電装装置
２・・・プリント基板
３・・・電装部品
４・・・電装ボックス
４Ａ・・電装ボックス本体
５・・・電装ボックスの左右の縦壁
６・・・放熱用開口
７・・・放熱空間
８・・・防水壁
８Ａ・・フランジ
９・・・レール部材
１０・・蓋体
１６・・電線（リード線）
２２・・溝
２６・・絶縁シート
２８・・保持部材
３３・・取り付け板
３５・・固定辺
３６・・支持辺
５０Ａ・・・架台
５０Ｂ・・・架台
５０Ｃ・・・架台
５１Ａ、５１Ｂ・・脚
５２Ａ、５２Ｂ・・脚
５３、５４・・支持脚部材
５６・・・前桟
５７・・・後桟
５８・・・長孔
６０Ａ、６０Ｂ・・支持台
７０Ａ、７０Ｂ・・固定部材
７３Ａ、７３Ｂ・・支持部材
７５・・・前桟
７６・・・後桟
７８Ａ、７８Ｂ・・支持台
１００・・分離型空気調和機
１０１・・室外機
１０２・・室内機
１０３・・配管部
１０４・・ソーラパネル
１０５・・支持脚
１０６・・取り付け部材
１０７・・軸支持部
１０８・・円弧状長孔
１０９・・軸
Ｐ・・・・角度調節機構部
【図１】
2005249268.tif 000003
【図２】
2005249268.tif 000004
【図３】
2005249268.tif 000005
【図４】
2005249268.tif 000006
【図５】
2005249268.tif 000007
【図６】
2005249268.tif 000008
【図７】
2005249268.tif 000009
【図８】
2005249268.tif 000010
【図９】
2005249268.tif 000011
【図１０】
2005249268.tif 000012
【図１１】
2005249268.tif 000013
【図１２】
2005249268.tif 000014
【図１３】
2005249268.tif 000015
【図１４】
2005249268.tif 000016